(57)【特許請求の範囲】
【請求項１】
上段と下段の端子部を千鳥状に配置した高密度形２段積み端子台（１）において、
前記上段端子部（２）と前記下段端子部（３）の境界部に沿ってバリア挿入溝（６ａ）を開設し、前記端子台（１）の上段端子部側の端部に沿ってバリア挿入溝（６ｂ）を開設し、前記下段端子部側から電線が繋ぎこまれる上段端子部の前記端部には前記端部のバリア挿入溝（６ｂ）に嵌合挿入するバリア（５ｃ）を備え、前記上段端子部側から電線が繋ぎこまれる前記境界部には前記境界部のバリア挿入溝（６ａ）に嵌合挿入するバリア（５ａ、５ｂ）を備え、前記端部のバリア（５ｃ）および前記境界部のバリア（５ａ、５ｂ）の幅方向の両端に、繋ぎ込む前記電線の外周が当接する箇所に切欠き部（７）を設けたことを特徴とする高密度形２段積み端子台。
【発明の詳細な説明】
【０００１】
【発明の属する技術分野】
本発明は、各種産業において使用されてる電線繋ぎ込み高密度形２段積み端子台の改良に関する。
【０００２】
【従来の技術】
従来、一般的に使用されているこの種の高密度形２段積み端子台の形態を、図４に示す[ 以下、「従来例」という] 。
図４(a) は従来例を上から視た正面図、図４(b) は  図４(a) の側断面図である。
図示のように、従来手段の高密度形２段積み端子台１は、片端部にバリア５がり、上段端子部２・下段端子部３には一方向から、電線４が繋ぎ込みが行われていた。
【０００３】
【発明が解決しようとする課題】
ところがこのような従来例では、例えば一方向の左側からの上段・下段端子部に電線繋ぎ込みしか出来ないという問題点があった。
そして、この場合に、
[1] 電線繋ぎ込み手順を考えた作業が必要である、つまり下段端子繋ぎ込み後、上段端子に繋ぎ込むことになり、端子に繋ぎ込み作業に時間が掛かる。
[2] 下段端子に接続変更が発生した場合、上段端子も外さないと、接続変更ができない。
[3] 一方向のみの接続のため、電線が嵩張り端末処理のためのスーペスが広く必要である。
そこで本発明は上記の問題を解決するために、上段と下段の端子部を千鳥状に配置した高密度形２段積み端子台において、電線の繋ぎ込みに、電線の端末を処理が上段と下段の端子部のいずれからでも自在に行える手段を提供することを目的とする。
【０００４】
【課題を解決するための手段】
上記目的を達成するため、本発明の請求項１の発明は、上段と下段の端子部を千鳥状に配置した高密度形２段積み端子台（１）において、前記上段端子部（２）と前記下段端子部（３）の境界部に沿ってバリア挿入溝（６ａ）を開設し、前記端子台（１）の上段端子部側の端部に沿ってバリア挿入溝（６ｂ）を開設し、前記下段端子部側から電線が繋ぎこまれる上段端子部の前記端部には前記端部のバリア挿入溝（６ｂ）に嵌合挿入するバリア（５ｃ）を備え、前記上段端子部側から電線が繋ぎこまれる前記境界部には前記境界部のバリア挿入溝（６ａ）に嵌合挿入するバリア（５ａ、５ｂ）を備え、前記端部のバリア（５ｃ）および前記境界部のバリア（５ａ、５ｂ）の幅方向の両端に、繋ぎ込む前記電線の外周が当接する箇所に切欠き部（７）を設けたことを特徴とする高密度形２段積み端子台である。
【０００５】
かくして本発明の請求項１の発明によれば、電線の繋ぎ込み作業が効率的に行え、且つ省スペースで電線繋ぎ込みが行える特段の効果を奏する。
【０００６】
また、電線の繋ぎ込み・端末処理の変更に如何様にも円滑に対応可能という顕著な効果を発揮できる。
【０００７】
さらに、バリアの幅方向の両端に、繋ぎ込む前記電線の外周が当接する箇所に切欠き部がもうけられているので、繋ぎ込む電線とバリアの組合せが強固になって、例えば外力が加わってもバリアがズレたり動くこともない。
【０００８】
【発明の実施の形態】
以下、本発明の各実施の形態について、図面を参照して説明する。全ての図面において、同一符号は同一若しくは相当手段を示す。
[実施の形態１]
図１は本発明の一つの実施の形態を示し、図１(a) は上から視た高密度形２段積み端子台の電線繋ぎ込み端末処理の状態を示す正面図、図１(b) はその側断面図、図１(c) は３枚のバリアの側面図・平面図、図１(d) は図１(c) の切欠き部を設けない場合の３枚のバリアの側面図・平面図である。
図１に示すように、本発明の上段・下段の端子部に相反する方向・左右から、電線の接続・繋ぎ込みが成されている高密度形２段積み端子台の本体１には、上段端子部２と下段端子部３が設けられている。
ところで、従来技術[ 図４] で示された上段端子部の端末部に共通して構成されている片端バリア5 が、撤去されている。
そして、上段端子部２と下段端子部３の境界部に必要な幅のバリア5a,5b が、バリア挿入溝6aに差し込まれ、嵌合し衝立している。
また、境界部にバリア５が差し込まれていない上段端子部２には、必要に応じて、従来例と同じく左側から電線の接続・繋ぎ込みが成され、右端に必要幅のバリア5cが、バリア挿入溝6bに差し込まれ、嵌合し衝立している。
さらに、切欠き部７を設けた図１(c) と、それが無い図１(d) を対比して、３枚のバリアの側面図[5a1,5b1,5c1] ・平面図[5a2,5b2,5c2] を示している。
図１(c) の場合は、繋ぎ込む電線とバリアの組合せが強固になって、例えば外力が加わってもバリアがズレたり動くこともない。
これらは、状況に応じて何れを選択するも自由である。かつ、バリア[5a 〜5c] の幅は電線数に応じて適当の幅のものを、所要数プールしておけばよい。
【０００９】
[実施の形態２]
図２は本発明の他の実施の形態を示し、図２(a) は上から視た高密度形２段積み端子台の電線繋ぎ込み端末処理の状態の正面図、図２(b) は(a) の側断面図、図２(c) は(a) の３枚のバリアの側面図[5C1] ・平面図[5c2] である。
すなわち図２は、上段端子部には下段端子部と全て相反する方向から、電線の接続・繋ぎ込みがなされときの、上から視た端末処理の状態を示す正面図である。
図２に示すように、上段端子部２には下段端子部３とは全部相反する方向から電線の接続・繋ぎ込み、端末処理が成される実施の形態２である。
これは、端末処理以後の接続変更が下段端子部３でも行われる場合にも、作業がスムーズになされ得るし、下段端子部３と上段端子部２との沿面絶縁に関しても有利に働く。
【００１０】
[実施の形態３]
図３は本発明の実施の形態３を示し、図３(a) は上から視た高密度形２段積み端子台の電線繋ぎ込み端末処理の状態[ 全て相反する方向から電線の接続・繋ぎ込みがなされ境界部のバリア省略とき] の正面図、図３(b) は(a) の側断面図である。
つまり図３は、上段端子部には下段端子部と全て相反する方向から電線の接続・繋ぎ込みが成されとき、上段端子部におけるバリアを省略した実施の形態を、上から視た端末処理の状態を示す正面図である。
このようにすれば、スペース的にも作業効率的にも非常に有利であって、コスト的にも望ましい。ただし、沿面絶縁に関しては条件が厳しくない場合に適用可能である。
【００１１】
【発明の効果】
以上説明したように、本発明によれば、電線の繋ぎ込み作業が効率的に行え、且つ省スペースで電線繋ぎ込みが行える特段の効果を奏する。
かつ、電線の繋ぎ込み・端末処理の変更に如何様にも円滑に対応可能という顕著な効果を発揮できる。
さらに、バリアに切欠き部を設け、繋ぎ込む電線とバリアの組合せが強固になって、例えば外力が加わってもバリアがズレたり動くこともない。
さらにまた、従来例の一方向からの電線の繋ぎ込みに比べて、嵩張らず、スペースも少なくて済む。
【図面の簡単な説明】
【図１】本発明の実施の形態１を示し、
(a) は上から視た高密度形２段積み端子台の電線繋ぎ込み端末処理の状態を示す正面図、
(b) はその側断面図
(c) は３枚のバリアの側面図・平面図、
(d) は(c) の切欠き部を設けない場合の３枚のバリアの側面図・平面図
【図２】図２は本発明の実施の形態２を示し、
(a) は上から視た高密度形２段積み端子台の電線繋ぎ込み端末処理の状態[ 全て相反する方向から電線の接続・繋ぎ込みがなされとき] の正面図、
(b) は(a) の側断面図、
(c) は(a) の３枚のバリアの側面図・平面図
【図３】図３は本発明の実施の形態３を示し、
(a) は上から視た高密度形２段積み端子台の電線繋ぎ込み端末処理の状態[ 全て相反する方向から電線の接続・繋ぎ込みがなされ境界部のバリア省略とき] の正面図、
(b) は(a) の側断面図
【図４】従来例を示し、
(a) は従来例を上から視た正面図、
(b) は(a) の側断面図
【符号の説明】
１  高密度２段積み端子台（本体）
２  上段端子部
３  下部端子部
４  電線
５，5a,5b,5c  バリア
6a,6b   バリア挿入溝
７  切欠き
【図１】
0004228260.tif 000002
【図２】
0004228260.tif 000003
【図３】
0004228260.tif 000004
【図４】
0004228260.tif 000005